(57)【要約】      （修正有）【課題】パチンコ台の枠体開閉に支障なくパチンコ台の間に設置される付属設備用枠体との間に形成される微少隙間に差し込み状に設置可能であり、接続ケーブルを取り外すことが可能で保守や点検を含めて作業性に優れたパチンコ台取付け用ディスプレイ装置を提供する。【解決手段】薄型のディスプレイ本体１と、パチンコ台の側壁または付属設備用枠体の側壁に取付けられる取付けプレート２と、それらを少なくとも水平方向に回動可能に軸着するヒンジと３、一端がディスプレイ本体１に接続されてディスプレイ本体１に電源および情報信号等を供給したりディスプレイ本体１からの入力信号を送信するための接続ケーブル４とを有するとともに、取付けプレート２は少なくとも二枚のプレート部材２１，２２からなり、且つ互いに接続ケーブル４の縦幅Ｌ２よりも広い間隔を有してヒンジ３に配置される。【選択図】図１
0003122120.tif 000002
【実用新案登録請求の範囲】
【請求項１】
薄型のディスプレイ本体と、パチンコ台の側壁またはパチンコ台に並設される付属設備用枠体の側壁に取付けられる薄板状の取付けプレートと、前記ディスプレイ本体と取付けプレートとを少なくとも水平方向に回動可能に軸着するヒンジと、一端が前記ディスプレイ本体に接続されて前記ディスプレイ本体に電源および情報信号等を供給したり前記ディスプレイ本体からの入力信号を送信するための接続ケーブルとを有するとともに、前記取付けプレートは少なくとも二枚のプレート部材からなり、且つこれらのプレート部材が互いに前記接続ケーブルの縦幅よりも広い間隔を有して前記ヒンジに配置されていることを特徴とするパチンコ台取付け用ディスプレイ装置。
【請求項２】
前記接続ケーブルがフラットケーブルであるとともに少なくとも一側面に所定の長さにわたってこの接続ケーブルをパチンコ台の側壁またはパチンコ台に並設される付属設備用枠体の側壁に貼着可能とした請求項１記載のパチンコ台取付け用ディスプレイ装置。
【請求項３】
少なくとも前記取付けプレートを形成する二枚のプレート部材間の距離よりも幅広の接着シールを有する請求項１または２記載のパチンコ台取付け用ディスプレイ装置。
【請求項４】
前記取付けプレートの取付面に粘着部材が配置されている請求項１，２または３記載のパチンコ台取付け用ディスプレイ装置。
【考案の詳細な説明】
【技術分野】
【０００１】
木考案は、パチンコホールに設置されたパチンコ台毎に設置されて、遊技をする顧客に各種の情報を個別に提供するためのパチンコ台取付け用ディスプレイ装置に関するものである。
【背景技術】
【０００２】
従来、パチンコホール内で遊戯している場合に遊戯しているパチンコ台の出玉情報、ホールからの情報、遊技者個人への情報、更にはテレビ包装やＤＶＤ情報など各種の情報を提供する目的で各パチンコ台に情報を表示するためのディスプレイ装置を取り付けたものが知られており、例えば、実開平７−３６２２２号公報、特開平８−１３１６４８号公報、特開平９−９９１６４号公報などに提示されている。
【０００３】
また、通常パチンコホールでは、島と呼ばれる一定の面積内に複数のパチンコ台を並設しており、この並設されたパチンコ台の間に形成された隙間に前記ディスプレイを装着したものが、特開平１１−４９５２号公報、実用新案登録第３１０６５９７号公報に提示されている。
【０００４】
これらの公報に提示されているディスプレイは並設されたパチンコ台の隙間に装着されるので邪魔にならず島全体のパチンコ台数を減らすことなく、また、遊技をしながら画面を見ることも可能な位置に取り付けることができる等の利点を有しており、特に、実用新案登録第３１０６５９７号公報に提示されているテレビ体は後施工により取付が可能である点で優れている。
【特許文献１】実開平７−３６２２２号公報
【特許文献２】特開平８−１３１６４８号公報
【特許文献３】特開平９−９９１６４号公報
【特許文献４】特開平１１−４９５２号公報
【特許文献５】実用新案登録第３１０６５９７号公報
【考案の開示】
【考案が解決しようとする課題】
【０００５】
ところが、実用新案登録第３１０６５９７号公報に提示されているテレビ体は、図４および図５に示すように、並設されたパチンコ台の間或いはパチンコ台とパチンコ台との間に設置される例えば玉貸機やコイン、カードなどの挿入口等を設けた付属設備用枠体との間に形成される微少隙間に差し込み状に設置可能なプレート状の取付ブラケット１ａの表面にフラットケーブル２ａを貼着したものであり、取付ブラケット１ａとフラットケーブル２ａとを重ねた厚さのものが前記微少隙間に差し込まれることになる。
【０００６】
元々、前記島における並設するパチンコ台の台枠間に形成される隙間は微少であり、差し込む取付ブラケット１ａとフラットケーブル２ａとが重ねられると差し込み不可能であったり、差し込んだとしても台枠の開閉操作を円滑に操作することができない、という事態が生じる。
【０００７】
また、取付ブラケット１ａはフラットケーブル２ａを挟んだ状態で付属設備用枠体３ａに取り付けることになり、フラットケーブル２ａが締め付けられて損傷や断線が生じたりする心配があり、また、フラットケーブル２ａを繋ぎ代えたりする場合に、取付ブラケット１、即ち、テレビ体を含めて脱着しなければならずきわめて作業性が劣るなどの問題がある。
【０００８】
そこで、本考案は、取付が簡単且つ確実であることは言うまでもなく、パチンコ台の枠体開閉に支障なく並設されたパチンコ台の間或いはパチンコ台とパチンコ台との間に設置される付属設備用枠体との間に形成される微少隙間に差し込み状に設置可能であり、接続ケーブルの損傷もなく、ディスプレイ本体をパチンコ台に取り付けた状態のままで、接続ケーブルを取り外すことが可能で保守や点検を含めて作業性に優れたパチンコ台取付け用ディスプレイ装置を提供するものである。
【課題を解決するための手段】
【０００９】
前記課題を解決するためになされた本考案であるパチンコ台取付け用ディスプレイ装置は、薄型のディスプレイ本体と、パチンコ台の側壁またはパチンコ台に並設される付属設備用枠体の側壁に取付けられる薄板状の取付けプレートと、前記ディスプレイ本体と取付けプレートとを少なくとも水平方向に回動可能に軸着するヒンジと、一端が前記ディスプレイ本体に接続されて前記ディスプレイ本体に電源および情報信号等を供給したり前記ディスプレイ本体からの入力信号を送信するための接続ケーブルとを有するとともに、前記取付けプレートは少なくとも二枚のプレート部材からなり、且つこれらのプレート部材が互いに前記接続ケーブルの縦幅よりも広い間隔を有して前記ヒンジに配置されていることを特徴とする。
【００１０】
二枚のプレート部材の間に接続ケープルが介在するようにして薄板状の取付けプレートを前記ディスプレイ本体をパチンコ台の表面に露出させた状態でパチンコ台の側壁またはパチンコ台に並設される付属設備用枠体の側壁に取付ける。このとき、パチンコ台枠とパチンコ台北、或いはのパチンコ台枠とパチンコ台に並設される付属設備用枠体との間に形成される隙間には取付けプレートまたは接続ケーブルが重なることなしに差し込まれるので微少な隙間であっても無理なく差し込まれることができ、パチンコ台における枠体の開閉操作に支障がない。
【００１１】
また、接続ケーブルは自由であり、取付けプレートによって覆割れていないのでディスプレイ本体をパチンコ台枠または付属設備用枠体に取り付けたままの状態で脱着が可能である。
【００１２】
また、本発明において、前記接続ケーブルがフラットケーブルであるとともに少なくとも一側面に所定の長さにわたってこの接続ケーブルをパチンコ台の側壁またはパチンコ台に並設される付属設備用枠体の側壁に貼着可能とした場合には、
接続ケーブルをパチンコ台枠または付属設備用枠体に固着することができるのでや緩んだり引っ張られたり、断線するなどの心配がない。
【００１３】
更に、本発明において、少なくとも前記取付けプレートを形成する二枚のプレート部材間の距離よりも幅広の接着シールを有する場合には、取付後に、取付けプレートと接続コードとを含んで前記接着シールを貼着することにより、取付けプレートと接続コードとを一体化することができ、更に強固に取り付けることができる。
【００１４】
加えて、本発明において、前記取付けプレートの取付面に粘着部材が配置されている場合には、取付けプレートをパチンコ台枠の側壁や属設備用枠体の側壁にねじ止めする際などに仮止めができるので取付作業が容易となる。
【考案の効果】
【００１５】
本考案によれば、取付が簡単且つ確実であることは言うまでもなく、パチンコ台の枠体開閉に支障なく並設されたパチンコ台の間或いはパチンコ台とパチンコ台との間に設置される付属設備用枠体との間に形成される微少隙間に差し込み状に設置可能であり、接続ケーブルの損傷もなく、ディスプレイ本体をパチンコ台に取り付けた状態のままで、接続ケーブルを取り外すことが可能で保守や点検を含めて作業性に優れている。
【考案を実施するための最良の形態】
【００１６】
以下、本考案の具体的な実施の形態について、図面を参照して説明するが、本考案は以下の例に限定されるものではない。
【００１７】
図１は本考案である本考案であるパチンコ台取付け用ディスプレイ装置の好ましい実施の形態を示すものであり、パチンコ台取付け用ディスプレイ装置１は、主として薄型のディスプレイ本体１と、薄板状の取付けプレート２と、ディスプレイ本体１と取付けプレート２とを水平方向に回動可能に軸着するヒンジ３と、前記ディスプレイ本体１に電源や各種の情報信号を供給したりディスプレイ本体１からの入力信号を痩身するためのフラット状の接続ケーブル４とから構成される。
【００１８】
そして、ディスプレイ本体１は、表面に例えば液晶の表示画面１１と電源、音量調節、各種の情報の切換等を制御するための各種のスイッチ１２が配設されているとともに内側（正面に向かって右側）に位置する側面１３に前記接続ケーブル４の接続端に付設した接続端子４１を脱着自在に嵌装するための接続口が形成されているとともに、前記ヒンジ２を構成する中央筒体２１が突設されている。尚、本実施の形態では、ヒンジ２を構成する中央筒体２１がディスプレイ本体１に直接形成されているが、例えば平面が直線的な或いはＬ形の連結部材を介してヒンジを形成してもよく（図示せず）、これらの場合にはディスプレイ本体１をパチンコ台から少し離した位置やより遊技者に近づけた位置に取り付けることができる。
【００１９】
また、前記ヒンジ３は前記中央筒体３１を挟んでその上下に配置された上筒体３２と下筒体３３とがこれらに連通して配置された軸芯３４により連結されており、前記上筒体３２と下筒体３３に連結された取付けプレート２を構成する二枚のプレート部材２１，２２が水平方向に回動可能に連結されている。
【００２０】
更に、前記接続ケーブル４の取付側の側面４２には、所定の長さにわたって粘着テープ４４が配設されている。この粘着テープ４４の表面は使用前には剥離テープにより覆っておくとよい。尚、本実施の形態では粘着テープを配設したが取付側の側面４２に粘着剤が存在すればよく、手段は問わない。
【００２１】
更に、前記取付けプレート２を構成する二枚のプレート部材２１，２２は、互いの間隔Ｌ１が少なくとも前記接続ケーブル４の縦幅Ｌ２よりも広く形成されているとともに、各プレート部材２１，２２には、ねじ止め用の複数のねじ孔２３が形成されているとともに取付側に前記接続ケーブル４の取付側の側面４２に配設した粘着テープ４４と同様の仮止め用の粘着テープ２４がそれぞそれ配設されている。
【００２２】
以上の構成を有する本実施の形態を使用するには、図２に示すように例えば島を構成する左側のパチンコ台５の枠体５１を開放して隣接するパチンコ台６との間に設置される付属設備用枠体７の側壁７１を露出させた状態で、取付けプレート２を構成する二枚のプレート部材２１，２２を所定の取付位置に配置する。
【００２３】
このとき、予め表面の剥離テープ（図示せず）を剥がした粘着テープ２４を付属設備用枠体７の側壁７１に接着させて仮止めし、タップねじなどの止めねじ８を用いてプレート部材２１，２２を固定する。
【００２４】
この際、接続ケーブル４はディスプレイ本体１に接続したままで作業しても良いが、取付後にディスプレイ本体１に接続してもよく、接続した接続ケーブル４は側面４２に配設した粘着テープ４４を露出させて直接、付属設備用枠体７の側壁７１に固着させることにより固定する。
【００２５】
そして、必要であれば、上下方向の真ん中に配置される接続ケーブル４とその上下に配置される二枚のプレート部材２１，２２とにわたって接着シール（図示せず）を貼ることにより接続ケーブル４と取付けプレート２とを一体化できる。尚、接着シールがシールド材により形成されている場合には電磁波遮蔽効果を得ることもできる。
【００２６】
以上のようにして取り付けた後、再び開放していたパチンコ台５の枠体５１を閉じると図３に示すように、プレート部材２１，２２と接続ケーブル４とがパチンコ台５と付属設備用枠体７都の間に形成される隙間５７に差し込まれた状態でディスプレイ本体１が取り付けられ。
【００２７】
このように取り付けられた本実施の形態は、取付けプレート２を構成する二枚のプレート部材２１，２２は、互いの間隔Ｌ１が少なくとも前記接続ケーブル４の縦幅Ｌ２よりも広く形成されていることから、各プレート部材２１，２２には、ねじ止め用の複数のねじ孔２３が形成されて接続ケーブル４が従来のもののようにプレート部材２１，２２に重ならずに前記隙間５７に介在するので隙間５７が微少であっても支障なく差し込み配置することができるばかりか、接続ケーブル４が取付プレート２に覆われずに露出しているので取付プレート２の締め付けなどによる損傷や断線がなく、また、取付プレート２を取り外さなくてもディスプレイ本体１に着脱可能であり、きわめて便利で保守性、作業性に優れている。
【００２８】
尚、本ディスプレイ装置は従来周知の手段により従来と同様にして運用することができ、特に、既設のパチンコ台や島について適用できる利点がある。
【図面の簡単な説明】
【００２９】
また、本実施の形態では、接続ケーブル４としてフラットケーブルを用いたので微少な隙間に充分に対応可能であるが、本考案は接続ケーブル４は取付プレート２と重なることがなく、そのため接続ケーブル４はフラットケーブルに限るものでなく、比較的細いものであれば通常のコードや同軸ケーブルも使用することができる。
【００３０】
【図１】本考案の好ましい実施の携帯を示す斜視図。
【図２】図１に示した実施の形態についての取付状態を示す説明図。
【図３】図１に示した実施の形態を実施した島の一部を示す説明図。
【図４】従来例を示す概略図。
【図５】図５に示し従来例の取付状態を記す説明図。
【符号の説明】
【００３１】
１  ディスプレイ本体、２  取付プレート、３  ヒンジ、４  接続ケーブル、
５，６  パチンコ台、７  付属設備用枠体、２１，２２  プレート部材、７１
側壁
【図１】
0003122120.tif 000003
【図２】
0003122120.tif 000004
【図３】
0003122120.tif 000005
【図４】
0003122120.tif 000006
【図５】
0003122120.tif 000007
【手続補正書】
【提出日】平成18年3月30日(2006.3.30)
【手続補正１】
【補正対象書類名】明細書
【補正対象項目名】全文
【補正方法】変更
【補正の内容】
【考案の詳細な説明】
【技術分野】
【０００１】
本考案は、パチンコホールに設置されたパチンコ台毎に設置されて、遊技をする顧客に各種の情報を個別に提供するためのパチンコ台取付け用ディスプレイ装置に関するものである。
【背景技術】
【０００２】
従来、パチンコホール内で遊戯している場合に遊戯しているパチンコ台の出玉情報、ホールからの情報、遊技者個人への情報、更にはテレビ放送やＤＶＤ情報など各種の情報を提供する目的で各パチンコ台に情報を表示するためのディスプレイ装置を取り付けたものが知られており、例えば、実開平７−３６２２２号公報、特開平８−１３１６４８号公報、特開平９−９９１６４号公報などに提示されている。
【０００３】
また、通常パチンコホールでは、島と呼ばれる一定の面積内に複数のパチンコ台を並設しており、この並設されたパチンコ台の間に形成された隙間に前記ディスプレイを装着したものが、特開平１１−４９５２号公報、実用新案登録第３１０６５９７号公報に提示されている。
【０００４】
これらの公報に提示されているディスプレイは並設されたパチンコ台の隙間に装着されるので邪魔にならず島全体のパチンコ台数を減らすことなく、また、遊技をしながら画面を見ることも可能な位置に取り付けることができる等の利点を有しており、特に、実用新案登録第３１０６５９７号公報に提示されているテレビ体は後施工により取付が可能である点で優れている。
【特許文献１】実開平７−３６２２２号公報
【特許文献２】特開平８−１３１６４８号公報
【特許文献３】特開平９−９９１６４号公報
【特許文献４】特開平１１−４９５２号公報
【特許文献５】実用新案登録第３１０６５９７号公報
【考案の開示】
【考案が解決しようとする課題】
【０００５】
ところが、実用新案登録第３１０６５９７号公報に提示されているテレビ体は、図４および図５に示すように、並設されたパチンコ台の間或いはパチンコ台とパチンコ台との間に設置される例えば玉貸機やコイン、カードなどの挿入口等を設けた付属設備用枠体との間に形成される微少隙間に差し込み状に設置可能なプレート状の取付ブラケット１ａの表面にフラットケーブル２ａを貼着したものであり、取付ブラケット１ａとフラットケーブル２ａとを重ねた厚さのものが前記微少隙間に差し込まれることになる。
【０００６】
元々、前記島における並設するパチンコ台の台枠間に形成される隙間は微少であり、差し込む取付ブラケット１ａとフラットケーブル２ａとが重ねられると差し込み不可能であったり、差し込んだとしても台枠の開閉操作を円滑に操作することができない、という事態が生じる。
【０００７】
また、取付ブラケット１ａはフラットケーブル２ａを挟んだ状態で付属設備用枠体３ａに取り付けることになり、フラットケーブル２ａが締め付けられて損傷や断線が生じたりする心配があり、また、フラットケーブル２ａを繋ぎ代えたりする場合に、取付ブラケット１、即ち、テレビ体を含めて脱着しなければならずきわめて作業性が劣るなどの問題がある。
【０００８】
そこで、本考案は、取付が簡単且つ確実であることは言うまでもなく、パチンコ台の枠体開閉に支障なく並設されたパチンコ台の間或いはパチンコ台とパチンコ台との間に設置される付属設備用枠体との間に形成される微少隙間に差し込み状に設置可能であり、接続ケーブルの損傷もなく、ディスプレイ本体をパチンコ台に取り付けた状態のままで、接続ケーブルを取り外すことが可能で保守や点検を含めて作業性に優れたパチンコ台取付け用ディスプレイ装置を提供するものである。
【課題を解決するための手段】
【０００９】
前記課題を解決するためになされた本考案であるパチンコ台取付け用ディスプレイ装置は、薄型のディスプレイ本体と、パチンコ台の側壁またはパチンコ台に並設される付属設備用枠体の側壁に取付けられる薄板状の取付けプレートと、前記ディスプレイ本体と取付けプレートとを少なくとも水平方向に回動可能に軸着するヒンジと、一端が前記ディスプレイ本体に接続されて前記ディスプレイ本体に電源および情報信号等を供給したり前記ディスプレイ本体からの入力信号を送信するための接続ケーブルとを有するとともに、前記取付けプレートは少なくとも二枚のプレート部材からなり、且つこれらのプレート部材が互いに前記接続ケーブルの縦幅よりも広い間隔を有して前記ヒンジに配置されていることを特徴とする。
【００１０】
二枚のプレート部材の間に接続ケープルが介在するようにして薄板状の取付けプレートを前記ディスプレイ本体をパチンコ台の表面に露出させた状態でパチンコ台の側壁またはパチンコ台に並設される付属設備用枠体の側壁に取付ける。このとき、パチンコ台枠とパチンコ台枠、或いはのパチンコ台枠とパチンコ台に並設される付属設備用枠体との間に形成される隙間には取付けプレートまたは接続ケーブルが重なることなしに差し込まれるので微少な隙間であっても無理なく差し込まれることができ、パチンコ台における枠体の開閉操作に支障がない。
【００１１】
また、接続ケーブルは自由であり、取付けプレートによって覆われていないのでディスプレイ本体をパチンコ台枠または付属設備用枠体に取り付けたままの状態で脱着が可能である。
【００１２】
また、本発明において、前記接続ケーブルがフラットケーブルであるとともに少なくとも一側面に所定の長さにわたってこの接続ケーブルをパチンコ台の側壁またはパチンコ台に並設される付属設備用枠体の側壁に貼着可能とした場合には、接続ケーブルをパチンコ台枠または付属設備用枠体に固着することができるので緩んだり引っ張られたり、断線するなどの心配がない。
【００１３】
更に、本発明において、少なくとも前記取付けプレートを形成する二枚のプレート部材間の距離よりも幅広の接着シールを有する場合には、取付後に、取付けプレートと接続コードとを含んで前記接着シールを貼着することにより、取付けプレートと接続コードとを一体化することができ、更に強固に取り付けることができる。
【００１４】
加えて、本発明において、前記取付けプレートの取付面に粘着部材が配置されている場合には、取付けプレートをパチンコ台枠の側壁や属設備用枠体の側壁にねじ止めする際などに仮止めができるので取付作業が容易となる。
【考案の効果】
【００１５】
本考案によれば、取付が簡単且つ確実であることは言うまでもなく、パチンコ台の枠体開閉に支障なく並設されたパチンコ台の間或いはパチンコ台とパチンコ台との間に設置される付属設備用枠体との間に形成される微少隙間に差し込み状に設置可能であり、接続ケ
ーブルの損傷もなく、ディスプレイ本体をパチンコ台に取り付けた状態のままで、接続ケーブルを取り外すことが可能で保守や点検を含めて作業性に優れている。
【考案を実施するための最良の形態】
【００１６】
以下、本考案の具体的な実施の形態について、図面を参照して説明するが、本考案は以下の例に限定されるものではない。
【００１７】
図１は本考案であるパチンコ台取付け用ディスプレイ装置の好ましい実施の形態を示すものであり、パチンコ台取付け用ディスプレイ装置１は、主として薄型のディスプレイ本体１と、薄板状の取付けプレート２と、ディスプレイ本体１と取付けプレート２とを水平方向に回動可能に軸着するヒンジ３と、前記ディスプレイ本体１に電源や各種の情報信号を供給したりディスプレイ本体１からの入力信号を送信するためのフラット状の接続ケーブル４とから構成される。
【００１８】
そして、ディスプレイ本体１は、表面に例えば液晶の表示画面１１と電源、音量調節、各種の情報の切換等を制御するための各種のスイッチ１２が配設されているとともに内側（正面に向かって右側）に位置する側面１３に前記接続ケーブル４の接続端に付設した接続端子４１を脱着自在に嵌装するための接続口が形成されているとともに、前記ヒンジ２を構成する中央筒体２１が突設されている。尚、本実施の形態では、ヒンジ２を構成する中央筒体２１がディスプレイ本体１に直接形成されているが、例えば平面が直線的な或いはＬ形の連結部材を介してヒンジを形成してもよく（図示せず）、これらの場合にはディスプレイ本体１をパチンコ台から少し離した位置やより遊技者に近づけた位置に取り付けることができる。
【００１９】
また、前記ヒンジ３は前記中央筒体３１を挟んでその上下に配置された上筒体３２と下筒体３３とがこれらに連通して配置された軸芯３４により連結されており、前記上筒体３２と下筒体３３に連結された取付けプレート２を構成する二枚のプレート部材２１，２２が水平方向に回動可能に連結されている。
【００２０】
更に、前記接続ケーブル４の取付側の側面４２には、所定の長さにわたって粘着テープ４４が配設されている。この粘着テープ４４の表面は使用前には剥離テープにより覆っておくとよい。尚、本実施の形態では粘着テープを配設したが取付側の側面４２に粘着剤が存在すればよく、手段は問わない。
【００２１】
更に、前記取付けプレート２を構成する二枚のプレート部材２１，２２は、互いの間隔Ｌ１が少なくとも前記接続ケーブル４の縦幅Ｌ２よりも広く形成されているとともに、各プレート部材２１，２２には、ねじ止め用の複数のねじ孔２３が形成されているとともに取付側に前記接続ケーブル４の取付側の側面４２に配設した粘着テープ４４と同様の仮止め用の粘着テープ２４がそれぞそれ配設されている。
【００２２】
以上の構成を有する本実施の形態を使用するには、図２に示すように例えば島を構成する左側のパチンコ台５の枠体５１を開放して隣接するパチンコ台６との間に設置される付属設備用枠体７の側壁７１を露出させた状態で、取付けプレート２を構成する二枚のプレート部材２１，２２を所定の取付位置に配置する。
【００２３】
このとき、予め表面の剥離テープ（図示せず）を剥がした粘着テープ２４を付属設備用枠体７の側壁７１に接着させて仮止めし、タップねじなどの止めねじ８を用いてプレート部材２１，２２を固定する。
【００２４】
この際、接続ケーブル４はディスプレイ本体１に接続したままで作業しても良いが、取
付後にディスプレイ本体１に接続してもよく、接続した接続ケーブル４は側面４２に配設した粘着テープ４４を露出させて直接、付属設備用枠体７の側壁７１に固着させることにより固定する。
【００２５】
そして、必要であれば、上下方向の真ん中に配置される接続ケーブル４とその上下に配置される二枚のプレート部材２１，２２とにわたって接着シール（図示せず）を貼ることにより接続ケーブル４と取付けプレート２とを一体化できる。尚、接着シールがシールド材により形成されている場合には電磁波遮蔽効果を得ることもできる。
【００２６】
以上のようにして取り付けた後、再び開放していたパチンコ台５の枠体５１を閉じると図３に示すように、プレート部材２１，２２と接続ケーブル４とがパチンコ台５と付属設備用枠体７との間に形成される隙間５７に差し込まれた状態でディスプレイ本体１が取り付けられる。
【００２７】
このように取り付けられた本実施の形態は、取付けプレート２を構成する二枚のプレート部材２１，２２における互いの間隔Ｌ１が少なくとも前記接続ケーブル４の縦幅Ｌ２よりも広く形成されていることから、接続ケーブル４が従来のもののようにプレート部材２１，２２に重ならずに前記隙間５７に介在するので隙間５７が微少であっても支障なく差し込み配置することができるばかりか、接続ケーブル４が取付プレート２に覆われずに露出しているので取付プレート２の締め付けなどによる損傷や断線がなく、また、取付プレート２を取り外さなくてもディスプレイ本体１に着脱可能であり、きわめて便利で保守性、作業性に優れている。
【００２８】
尚、本ディスプレイ装置は従来周知の手段により従来と同様にして運用することができ、特に、既設のパチンコ台や島について適用できる利点がある。
【図面の簡単な説明】
【００２９】
また、本実施の形態では、接続ケーブル４としてフラットケーブルを用いたので微少な隙間に充分に対応可能であるが、本考案は接続ケーブル４が取付プレート２と重なることがなく、そのため接続ケーブル４はフラットケーブルに限るものでなく、比較的細いものであれば通常のコードや同軸ケーブルも使用することができる。
【００３０】
【図１】本考案の好ましい実施の携帯を示す斜視図。
【図２】図１に示した実施の形態についての取付状態を示す説明図。
【図３】図１に示した実施の形態を実施した島の一部を示す説明図。
【図４】従来例を示す概略図。
【図５】図５に示し従来例の取付状態を記す説明図。
【符号の説明】
【００３１】
１  ディスプレイ本体、２  取付プレート、３  ヒンジ、４  接続ケーブル、
５，６  パチンコ台、７  付属設備用枠体、２１，２２  プレート部材、７１
側壁